(57)【特許請求の範囲】
【請求項１】
直水流入口から熱交換器に連結される直水流入管と、前記熱交換器から温水排出口に連結される温水供給管と、前記直水流入口に流入される直水の流量を測定する流量センサーと、前記温水排出口から排出される温水の流量を調節する流量調節バルブと、を含む温水器の配管連結構造であって、
前記直水流入口と直水流入管と温水供給管及び温水排出口を連結させる配管本体は一体型であり、
前記直水流入管と前記温水供給管との間に連結されるバイパス流路と、前記バイパス流路を通じて移送される直水の流量を調節するミキシングバルブと、をさらに含み、
前記バイパス流路は、前記配管本体に一体型に形成され、
前記配管本体は、直水が流入される連結配管と結合される直水流入部と、前記直水流入部と連通され、前記直水流入部の一側から下向きに傾いて温水器ハウジングの外側に露出されるように延長形成されて前記流量センサーが挿入される流量センサー挿入部と、前記流量センサー挿入部の上端一側に前記ミキシングバルブが挿入されるように延長形成されるとともに熱交換器側に流入される直水流入管の連結配管に結合されるミキシングバルブ挿入部と、を含み、
前記直水流入部に流入された直水が前記流量センサー挿入部に下向きから傾いて流入されて前記流量センサーを通過した後、前記ミキシングバルブ挿入部側に向けて移送されるように流路を形成することを特徴とする、
温水器の配管連結構造。
【請求項２】
前記流量センサーと流量調節バルブは、前記配管本体の外側から流体の出口側流路方向と平行な方向に挿入されて結合されることを特徴とする請求項１に記載の温水器の配管連結構造。
【請求項３】
前記ミキシングバルブは、前記配管本体の外側から流体の出口側流路方向と平行な方向に挿入されて結合されることを特徴とする請求項２に記載の温水器の配管連結構造。
【請求項４】
前記ミキシングバルブと前記流量調節バルブが挿入されるように、前記配管本体に形成されたミキシングバルブ挿入部と流量調節バルブ挿入部には、各々１ヶ所の締結部を有し、前記締結部は、締結部材により結合されることを特徴とする請求項３に記載の温水器の配管連結構造。
【発明の詳細な説明】
【技術分野】
【０００１】
本発明は、温水器の配管連結構造に係り、より詳しくは、温水器内部の個別部品が一体型に射出成形された配管本体に結合されて直水と温水の流路を形成することにより、個別部品を連結する配管の数を減らし、配管の連結構造を簡素化することができるようにする温水器の配管連結構造に関する。
【背景技術】
【０００２】
一般的に、温水器は冷水を短時間内に所定の温度に加熱して使用者が便利に温水を使用するように構成された装置である。
図１は、従来の温水器の構成を示す概路図である。
従来の温水器１０は、直水(水道水)が流入される直水流入管５上には、流入された直水に含まれた異物を取り除いて浄化するためのフィルター１と、流入された直水の流量を測定するための流量センサー２と、が具備され、熱交換器８に流入された直水は、送風機６から供給された空気とガスがバーナー７により燃焼されて発生する燃焼熱との熱交換により加熱されて温水供給管９を通じて排出され、温水供給管９上には、温水の流量を調節するための流量調節バルブ４が具備される。
【０００３】
そして、直水流入管５と温水供給管９との間には、流入された直水を熱交換器８を経由させないで直接温水供給管９側に移送するバイパス管５ａが連結されているので、熱交換器８を経て加熱された温水と直水が混合されることにより温水の温度を調節するように構成されている。
そして、前記バイパス管５ａ上には、ミキシングバルブ３が具備されて前記バイパス管５ａを通じて移送される直水の流量を調節する。
【０００４】
図２は、従来の温水器の配管連結構造を示す断面図である。
従来の温水器１０は、温水器ハウジング１１の内部で直水流入管５と温水供給管９及びバイパス管５ａを含む流路を形成し、前記直水流入管５と温水供給管９及びバイパス管５ａ上に、流量センサー１と流量調節バルブ４及びミキシングバルブ３を設置するために複数の配管がお互いに連結されて締結された構造からなっている。
すなわち、直水流入口Ａから熱交換器８まで連結される直水流入管５は、複数の連結配管２１ａ、２１、２２、２３がお互いに締結され、熱交換器８から温水排出口Ｂまで連結される温水供給管９は、複数の連結配管２４、２５、２６、２６ａがお互いに締結される。また、バイパス管５ａも複数の連結配管２２、２５がお互いに締結された構造からなっている。
そして、前記連結配管の間の締結部は、流体の機密が維持されるようにクリップなどの締結部材３０により固定される。
【０００５】
このような従来の温水器の配管連結構造は、流量センサー１とミキシングバルブ３及び流量調節バルブ４の両端に隣接した連結配管が連結されるように構成される、したがって、図２において（１）乃至（１２）で表示されたように、連結配管の間の締結部の数が多過ぎて配管構造が複雑になり、締結部から漏水現象が発生する確率がそのほど高くなる問題点がある。
また、流量センサー１とミキシングバルブ３及び流量調節バルブ４の維持補修作業のためには、流量センサー１両端の締結部（１）、（２）と、ミキシングバルブ３両端の締結部（３）、（４）及び流量調節バルブ４両端の締結部（９）、（１０）を分離しなければならないので、維持補修作業が複雑で作業に長時間が必要となる問題点があった。
【発明の概要】
【発明が解決しようとする課題】
【０００６】
したがって、本発明は前述のような問題点を解決するためになされたもので、その目的は、温水器内部の個別部品を連結して直水と温水の流路を形成する配管の数を減らし、配管の連結構造が簡素化された温水器の配管連結構造を提供することにある。
【０００７】
本発明の他の目的は、温水器内部の流路上に流量センサーとミキシングバルブ及び流量調節バルブを容易に設置及び分離することができる構造を有する温水器の配管連結構造を提供することにある。
【課題を解決するための手段】
【０００８】
上記の目的を達成するための本発明の温水器の配管連結構造は、直水流入口から熱交換器に連結される直水流入管と、前記熱交換器から温水排出口に連結される温水供給管と、前記直水流入口に流入される直水の流量を測定する流量センサーと、前記温水排出口から排出される温水の流量を調節する流量調節バルブと、を含む温水器の配管連結構造であって、前記直水流入口と直水流入管と温水供給管及び温水排出口を連結させる配管本体は一体型になったことを特徴とする。
前記直水流入管と前記温水供給管との間に連結されるバイパス流路と、前記バイパス流路を通じて移送される直水の流量を調節するミキシングバルブと、をさらに含み、前記バイパス流路は、前記配管本体に一体型に形成されたことを特徴とする。
【０００９】
前記流量センサーと流量調節バルブは、前記配管本体の外側から流体の出口側流路方向と平行な方向に挿入されて結合されることを特徴とする。
前記ミキシングバルブは、前記配管本体の外側から流体の出口側流路方向と平行な方向に挿入されて結合されることを特徴とする。
前記ミキシングバルブと前記流量調節バルブが挿入されるように、前記配管本体に形成されたミキシングバルブ挿入部と流量調節バルブ挿入部には、各々１ヶ所の締結部を有し、前記締結部は、締結部材により結合されることを特徴とする。
前記直水流入口の一側には、前記流量センサーが挿入される流量センサー挿入部が、前記温水器ハウジングの外側に露出されるように形成されたことを特徴とする。
【００１０】
前記配管本体は、直水が流入される連結配管と結合する直水流入部と、前記直水流入部と連通され、前記直水流入部の一側から下向きに傾いて温水器ハウジングの外側に露出されるように延長形成されて前記流量センサーが挿入される流量センサー挿入部と、前記流量センサー挿入部の上端一側に前記ミキシングバルブが挿入されるように延長形成されるとともに熱交換器側に流入される直水流入管の連結配管に結合されるミキシングバルブ挿入部と、を含み、前記直水流入部に流入された直水が前記流量センサー挿入部に下向きから傾いて流入されて前記流量センサーを通過した後、前記ミキシングバルブ挿入部側を向けて移送されるように流路を形成することを特徴とする。
【発明の効果】
【００１１】
本発明に係る温水器の配管連結構造によれば、一体型に射出成形された配管本体により温水器の直水流入口と直水流入管と温水供給管とバイパス流路及び温水排出口を連結させることにより、連結配管の数を減らすことができ、配管の連結構造を簡素化することができる長所がある。
【００１２】
また、本発明によれば、温水器内部の流路上に流量センサーとミキシングバルブ及び流量調節バルブを容易に設置及び分離することができるので、維持補修作業が容易になる長所がある。
【図面の簡単な説明】
【００１３】
【図１】従来の温水器の構成を示す概路図である。
【図２】従来の温水器の配管連結構造を示す断面図である。
【図３】本発明に係る温水器の配管連結構造を示す断面図である。
【発明を実施するための形態】
【００１４】
以下、本発明の好ましい実施例に対する構成及び作用について添付図面を参照して詳細に説明する。
【実施例】
【００１５】
図３は、本発明に係る温水器の配管連結構造を示す断面図である。
本発明に係る温水器の配管連結構造は、温水器１００の直水流入口Ａから熱交換器８に連結される直水流入管５と、前記熱交換器８から温水排出口Ｂに連結される温水供給管９と、直水を温水に混合するためのバイパス流路Ｃとをお互いに連結させるために一体型に射出成形された配管本体１２０を利用した点にその特徴がある。
【００１６】
図３を参照すれば、前記配管本体１２０の右側下端部には、直水流入口Ａ側の連結配管１２１ａに結合される直水流入部１２１と、前記直水流入部１２１の一側から下向きに傾いて温水器ハウジング１１０の外側に露出されるように延長形成されて流量センサー１３０が挿入され、下端部は下部キャップ１２２ａにより結合される流量センサー挿入部１２２と、を含む。
【００１７】
そして、前記配管本体１２０の流量センサー挿入部１２２の上端右側では、ミキシングバルブ１４０がバイパス流路Ｃを横切って挿入されるように延長形成されるとともに、熱交換器８側に流入される直水流入管５の締結部（３）及び熱交換器８から加熱された温水が供給される温水供給管９の締結部（６）に結合されるミキシングバルブ挿入部１２３が形成されている。
このような配管本体１２０の構造によれば、前記直水流入部１２１に流入された直水は、前記流量センサー挿入部１２２に下向きに傾けて流入されて前記流量センサー１３０を通過した後、前記ミキシングバルブ挿入部１２３に向けて移送されるように流路が形成されている。
【００１８】
そして、前記配管本体１２０のミキシングバルブ挿入部１２３の左側には、温水排出口Ｂ側の連結配管１２４ａに結合される温水排出部１２４が下側に延長形成されており、前記温水排出部１２４に対向する上側には、流量調節バルブ１５０が挿入される流量調節バルブ挿入部１２５が形成されている。
上述の一体型に射出成形された配管本体１２０には、図３において（１）乃至（８）で表示された８ヶ所の締結部に連結配管が相互締結されて温水器１００内部の全体流路を形成する。
したがって、本発明による温水器の配管連結構造によれば、従来の温水器１０内部の連結配管の締結部の数が１２ヶ所であったことを８ヶ所で減らすことができ、これによって、作業空手を減らすだけではなく漏水現状の発生率を減少させることができる。
【００１９】
一方、本発明では、温水器１００内部の流路上に流量センサー１３０とミキシングバルブ１４０及び流量調節バルブ１５０を容易に設置及び分離できるように、前記流量センサー１３０とミキシングバルブ１４０及び流量調節バルブ１５０は、配管本体１２０の外部から流路方向と平行な方向に挿入され結合されるように構成した点にも特徴がある。
ここで、‘流路方向’とは、前記流量センサー１３０、ミキシングバルブ１４０、流量調節バルブ１５０の出口側から流体が排出される方向を意味する。
【００２０】
前記流量センサー１３０を直水が流入される流路上に設置する際には、温水器ハウジング１１０の外側に露出されて形成された流量センサー挿入部１２２を通じて流量センサー１３０を挿入して下部キャップ１２２ａを結合して締結する。この時、流量センサー１３０の設置のための別の連結配管と締結部材は不必要である。
これと反対に、流量センサー１３０を分離する際には、前記流量センサー挿入部１２２に結合された下部カバー１２２ａを抜き取って分離した後、流量センサー１３０を外部に引き出す。
【００２１】
前記ミキシングバルブ１４０と流量調節バルブ１５０を各々バイパス流路Ｃと温水が供給される流路上に設置する際には、配管本体１２０の外部からミキシングバルブ挿入部１２３と流量調節バルブ挿入部１２５を通じて前記ミキシングバルブ１４０と流量調節バルブ１５０を挿入させ、各々１ヶ所の締結部（２）、（７）をクリップなどの締結部材で固定する。
これと反対に、前記ミキシングバルブ１４０と流量調節バルブ１５０を分離する際には、前記締結部（２）、（７）に締結された締結部材を分離した後、ミキシングバルブ１４０と流量調節バルブ１５０を外部に引き出す。
【００２２】
上述のように本発明による温水器の配管連結構造によれば、従来の温水器の配管連結構造と比較するとき、流量センサー１３０とミキシングバルブ１４０及び流量調節バルブ１５０を配管本体１２０の外部から内側に挿入して結合するように構成することにより、連結配管の数を減らすことができ、これによって、維持補修作業を容易に且つ迅速に実行することができる。
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【符号の説明】
【００２３】
１：フィルター
２、１３０：流量センサー
３、１４０：ミキシングバルブ
４、１５０：流量調節バルブ
５：直水流入管
５ａ：バイパス管
６：送風機
７：バーナー
８：熱交換器
９：温水供給管
１０、１００：温水器
１１、１１０：温水器ハウジング
１２０：配管本体
１２１：直水流入部
１２２：流量センサー挿入部
１２３：ミキシングバルブ挿入部
１２４：温水排出部
１２５：流量調節バルブ挿入部
Ａ：直水流入口
Ｂ：温水排出口
Ｃ：バイパス流路
【図１】
0005465332.tif 000002
【図２】
0005465332.tif 000003
【図３】
0005465332.tif 000004